(57)【要約】【課題】導光路を利用して照明用光源からの照明光を踏段上に照射する場合に、照明用光源から離れた踏板の照明を充分確保できる照明装置を備えた乗客コンベアを提供する。【解決手段】乗客コンベアの踏板の両側に反射部材を立設し、踏板を照明する照明光の一部を反射部材の一方に踏板の設置方向に向けて角度をもって照射し、反射部材の一方に向けて照射された照明光を反射部材の他方に照射して更に反射させ、これを繰り返して踏板を反射光で照明する。導光路から踏板に照射される照明光に加えて、反射部材によって反射された反射光がこれに合成されることになり、光源より離れた踏板であっても充分な照明を確保することが可能となる。【選択図】図５
2014069909.tif 000002
【特許請求の範囲】
【請求項１】
建築構造物に設置された枠体と、この枠体の長手方向両端部に設けられた乗降床と、これらの乗降床間を無端状に連結されて循環移動する踏板と、前記踏板の移動方向に沿って前記枠体に立設された一対の欄干と、前記踏板と同期して駆動されるハンドレールを備えた乗客コンベアにおいて、
前記欄干の相向き合う内側壁面に設けた一対の反射部材と、前記踏板を照明光で照明すると共に、前記一方の反射部材に前記踏板の設置方向に向けて角度をもって照明光を照射する照明手段とを備え、前記一方の反射部材に向けて照射された照明光の反射光を前記他方の反射部材に照射して更に反射させ、これを繰り返して前記踏板を前記反射光で照明するようにしたことを特徴とする乗客コンベア。
【請求項２】
請求項１に記載の乗客コンベアにおいて、
前記照明手段は、前記欄干内に設けた導光路と、前記導光路の途中に設けられた照明光照射口よりなり、前記照明光照射口は前記踏板に照明光を照射すると共に、この照明光の一部を前記一方の反射部材に前記踏板の設置方向に向けて角度をもって照射することを特徴とする乗客コンベア。
【請求項３】
請求項２に記載の乗客コンベアにおいて、
前記照明光照射口から照射される照明光は、前記導光路内に配置された照明用光源からの照明光を前記導光路内に配置された反射分光板によって分光して得られることを特徴とする乗客コンベア。
【請求項４】
請求項３に記載の乗客コンベアにおいて、
前記反射分光板は前記照明光照射口から照射される照明光の照射方向を調整できることを特徴とする乗客コンベア。
【請求項５】
請求項２乃至請求項４のいずれかに記載の乗客コンベアにおいて、
前記導光路には少なくとも１つの照明用光源と複数の前記照明光照射口が設けられ、前記照明用光源からの照明光を前記複数の照明光照射口に分光して照射することを特徴とする乗客コンベア。
【請求項６】
請求項５に記載の乗客コンベアにおいて、
前記照明用光源は前記導光路に所定の間隔をおいて複数個配置されていることを特徴とする乗客コンベア。
【請求項７】
請求項１に記載の乗客コンベアにおいて、
前記照明手段は、前記一対の欄干の双方に設けた第１の導光路及び第２の導光路と、前記第１の導光路及び前記第２の導光路の夫々の途中に設けられた照明光照射口よりなり、前記第１の導光路及び前記第２の導光路の前記照明光照射口は前記踏板に照明光を照射すると共に、この照明光の一部を前記一対の反射部材に前記踏板の設置方向に向けて角度をもって照射することを特徴とする乗客コンベア。
【請求項８】
請求項１に記載の乗客コンベアにおいて、
前記照明手段は、前記一対の欄干の双方の上下に設けた第１の上側導光路、第２の上側導光路、及び第１の下側導光路、第２の下側導光路と、前記第１の上側導光路、前記第２の上側導光路、前記第１の下側導光路及び前記第２の下側導光路の夫々の途中に設けられた照明光照射口よりなり、前記第１の上側導光路、前記第２の上側導光路、前記第１の下側導光路及び前記第２の下側導光路の前記照明光照射口は前記踏板に照明光を照射すると共に、この照明光の一部を前記一対の反射部材に前記踏板の設置方向に向けて角度をもって照射することを特徴とする乗客コンベア。
【請求項９】
請求項２乃至請求項８のいずれかに記載の乗客コンベアにおいて、
前記循環移動する踏板は斜行部とこの斜行部に接続される水平部を備えており、前記導光路は前記水平部と前記斜行部に沿って前記欄干内に設けられた水平導光部と斜行導光部を備え、前記水平導光部の始端側に前記照明用光源が設けられていることを特徴とする乗客コンベア。
【請求項１０】
請求項２乃至請求項８のいずれかに記載の乗客コンベアにおいて、
前記循環移動する踏板は斜行部とこの斜行部に接続される水平部を備えており、前記導光路は前記水平部と前記斜行部に沿って前記欄干内に設けられた水平導光部と斜行導光部を備え、前記水平導光部と前記斜行導光部の間に前記照明用光源が設けられていることを特徴とする乗客コンベア。
【請求項１１】
請求項９乃至請求項１０のいずれかに記載の乗客コンベアにおいて、
前記斜行導光部に設けた前記照明光照射口は前記踏板に照明光を照射すると共に、この照明光の一部を前記一方の反射部材に前記踏板の設置方向に向けて角度をもって照射し、前記水平導光部に設けた前記照明光照射口は前記踏板に照明光を照射すると共に、この照明光の一部を前記一方の反射部材と直交する方向に向けて照射することを特徴とする乗客コンベア。
【請求項１２】
請求項１０に記載の乗客コンベアにおいて、
前記水平導光部と前記斜行導光部の間には、水平導光部用の照明用光源と斜行導光部用の照明用光源とが設けられていることを特徴とする乗客コンベア。
【発明の詳細な説明】
【技術分野】
【０００１】
本発明はエスカレーターや動く歩道などの乗客コンベアに係り、特に乗客コンベアの踏板を照明する照明装置を備えた乗客コンベア関するものである。
【背景技術】
【０００２】
一般に、乗客コンベアは建築構造物に設置された枠体の長手方向両端部に設けた乗降床間を無端状に連結されて循環移動する踏板、及びこの踏板の移動方向に沿って枠体に立設された欄干に設けた踏板と同期して駆動されるハンドレール等より構成されている。
【０００３】
そして、このような乗客コンベアにおいては、乗客の踏板の踏み外し防止といった安全の観点、乗客コンベアの全体的な明るさ確保の観点等から乗客コンベアが設置されている建築構造物内の照明や乗客コンベアを天井から照らす天井照明を必要以上に明るくしている。このため、建築構造物全体の電力消費量を抑制することができなく、建築構造物の所有者や管理者から電力消費量を少なくするように要請されている。このような要請に応えるためには乗客コンベアの踏板付近を明るく照明し、乗客コンベアが設置されている部屋全体の照明や、乗客コンベアを照らす天井照明を或る程度暗くして電力消費量を抑制することが考えられる。
【０００４】
建築構造物の照明装置として、例えば特開平１１−２７２６号公報(特許文献１)に記載されている技術は、照明光源(太陽光)からの照明光を導光路に入光して各部屋に設けた出光部から出光するもので、中空な導光路に各出光部に対応して半透鏡を配置し、この半透鏡は到達した光の一部を反射して出光部から出光して部屋を照明すると共に、光の一部を後側に透過するもので、この反射率と透過率との比を入光部から離間するに従い反射率を大きく設定するようにして、各部屋に均等に照明光を配分する分光システムである。
【先行技術文献】
【特許文献】
【０００５】
【特許文献１】特開平１１−２７２６号公報
【発明の概要】
【発明が解決しようとする課題】
【０００６】
上記した特許文献１に記載の技術は建築構造物の各部屋へ照明光を配分する分光システムであって、乗客コンベアの踏板を照明することについては何ら考慮されていない。つまり、乗客コンベアが設置されている部屋全体の照明や乗客コンベアを照らす天井照明を或る程度落として、その代わりに乗客コンベアの踏板を明るく照明することについては考慮されていない。
【０００７】
ところで、あえて特許文献１に記載の分光システムを乗客コンベアに適用しようとした場合は、乗客コンベアの長さ方向に配設した中空の導光路に出光部を複数個だけ設け、各出光部に対応して反射率と透過率との比を入光部から離間するに従い反射率を大きく設定するようにした半透鏡を配置する構成が考えられる。
【０００８】
しかしながら、乗客コンベアにおいては導光路の配設空間が狭く、このため導光路の断面積はある程度限られたものになる。このため導光路内の照明光の反射率や反射面積の調整だけでは照明用光源より離れたところにある踏板の照明の確保が困難になることが想定される。
【０００９】
本発明の目的は、導光路を利用して照明用光源からの照明光を踏段上に照射する場合に、照明用光源から離れた踏板の照明を充分確保できるようにした照明装置を備えた乗客コンベアを提供することにある。
【課題を解決するための手段】
【００１０】
本発明の特徴は、乗客コンベアの踏板の両側に反射部材を立設し、踏板を照明光で照明すると共に、一方の反射部材に踏板の設置方向に向けて角度をもって照明光を照射し、この反射部材に向けて照射された照明光の反射光を他方の反射部材に照射して更に反射させ、これを繰り返して踏板を反射光で照明する、ところにある。
【発明の効果】
【００１１】
本発明によれば、導光路から踏板に照射される照明光に加えて、反射部材によって反射された反射光がこれに合成されることになり、光源より離れた踏板であっても充分な照明を確保することが可能となる。
【図面の簡単な説明】
【００１２】
【図１】本発明の第１の実施形態になる乗客コンベアであるエスカレーターを側面から見た側面構成図である。
【図２】図１に示したエスカレーターを正面から見た正面構成図である。
【図３】本発明を構成する照明用導光路の詳細を示す構成図である。
【図４】照明光の反射角度を調整する調整機構を示す構成図である。
【図５】図３に示した構成における反射部材による照明光の進行状況を説明する説明図である。
【図６】図１に示したエスカレーターの照明用導光路付近を斜め上方から見た斜視図である。
【図７】本発明の第２の実施形態になる反射分光板の反射角度を変える構成を説明する構成図である。
【図８】本発明の第２の実施形態(反射角度を大きくした)になるエスカレーターを正面から見た構成図である。
【図９】本発明の第２の実施形態(反射角度を小さくした)になるエスカレーターを正面から見た構成図である。
【図１０】本発明の第３の実施形態になるエスカレーターを正面から見た構成図である。
【図１１】本発明の第４の実施形態になるエスカレーターを正面から見た構成図である。
【図１２】図１１に示したエスカレーターの照明用導光路付近を斜め上方から見た斜視図である。
【発明を実施するための形態】
【００１３】
以下、本発明の実施形態について図面を用いて詳細に説明するが、本発明は以下の実施形態に限定されることなく、本発明の技術的な概念の中で種々の変形例や応用例をもその範囲に含むものである。
【実施例１】
【００１４】
以下、図面に従って本発明の第１の実施形態を説明するが、まず、本発明が対象とする乗客コンベアの構成を説明する。本実施形態では乗客コンベアとしてエスカレーターの例を示しており、その全体構成は図１及び図２に示す通りである。
【００１５】
このエスカレーター１では、多数の踏板２を無端状に連結して循環移動させ、上階床と下階床との間で乗客を輸送している。また、このエスカレーター１は、建築構造物に設置される枠体（図示せず)と、乗客の安全ために設けられ踏板２と同期して移動するハンドレール３と、踏板２の幅方向両側に位置してハンドレール３を支持すると共に枠体の長手方向（踏板２の移動方向）に沿って立設される欄干４及びパネル５を備えている。そして、上階乗降床６及び下階乗降床７、ハンドレール３、欄干４、及びパネル５等は枠体に支持され、この枠体の長手方向両端部に建屋側の乗降口が固定されている。
【００１６】
エスカレーター１の枠体は、利用者が乗降する上階乗降床６及び下階乗降床７と、これらの間を連結する水平部８と斜行部９を有している。また、上階乗降床６内の上階機械室には駆動機が設置され、駆動スプロケットを駆動している。また、この上階機械室には制御部１０が設置され、駆動機を駆動、制御している。他方、下階乗降床７内の下階機械室には従動スプロケットが設置され、これら上下の駆動スプロケットと従動スプロケット間には無端状のチェーンが巻き掛けられて連続的に駆動するようになっている。このチェーンには、等間隔をおいて車軸が連結されており、この車軸に各踏段２が取り付けられている。したがって、踏板２は水平部８と斜行部９に対応して水平部と斜行部を形成している。よって、この踏板２による水平部と斜行部は以下の説明では水平部８と斜行部９と読み替えるものとする。
【００１７】
図1及び図２に示すように、導光路は踏板２の両側に立設した一対の欄干４の内部に収納されており、この導光路は上側導光路１１Ａと、下側導光路１１Ｂより構成されている。これらの各導光路１１Ａ、１１Ｂの終端は斜行部９の中央付近で終了しており、両者はその先端部付近で対向している。各導光路１０Ａ、１１Ｂはその断面を欄干４の内部形状に合わせて形成されており、照明光をできる限り多く通すように構成されている。本実施形態においては断面が中空の矩形状に形成されており、内部に照明光を反射するようにアルミ箔が貼付されていたり、アルミコーティングが施されている。また、この他に導光路１１Ａ、１１Ｂ自体を照明光を反射する反射機能を有する材料で形成しても良い。
【００１８】
尚、この、導光路１１Ａ、１１Ｂの始端は水平部８から形成しても良いし、また、斜行部９から形成しても良いが、本実施形態では水平部８から形成している。水平部８から導光路１１Ａ、１１Ｂを形成することによって、乗客が初めて踏板２に乗る時や踏板２から降りる時の安全性を向上している。
【００１９】
導光路１１Ａ、１１Ｂの始端付近には照明用光源１２が設けられており、この光源は白熱ランプ、蛍光ランプ、ＬＥＤランプ等を用いることができる。照明用光源１２の照明光は、周囲に拡散しないように集光した光束状の照明光として導光路１１Ａ、１１Ｂに照射されている。照明光を集光するためにはランプの後側に配置した凹面鏡等を利用することができる。
【００２０】
尚、以下の説明では下側導光路１１Ｂについて説明することとする。すなわち、上側導光路１１Ａは照明光源が上側の水平部８付近あって、照明光の照射方向が下側導光路１１Ｂと逆になっているだけである。よって、下側導光路１１Ｂと実質的に同様の機能、効果を奏するのでここでは説明を省略する。
【００２１】
図３にあるように、導光路１１Ｂの途中には照明光照射口１３が導光路１１Ｂの終端まで等間隔に複数個だけ形成されており、この照明光照射口１３は欄干４の壁面に設けた開口部(図３では図示せず)を介して踏板２に向けて開口している。この照明光照射口１３から照射される照明光は斜め上方から踏板２に向けて照明するが、その内の一部は後述する反射部材１６に向けて照射される。
【００２２】
ここで、照明光照射口１３から照射される照明光の照射方向は踏板２の設置方向、ここでは踏板２の進行方向に向けて傾け、斜め上方から踏板２に向けて照射される構成とされている。尚、上側導光路１１Ａの場合は照明用光源１２が上側の水平部８に設けてあるので、照明光照射口１３から照射される照明光の照射方向は踏板２の進行方向とは逆方向に向けて傾け、斜め上方から踏板２に向けて照射される構成とされている。そして、この照明光の照射方向の制御は後述する反射分光板１４によって行なわれるものである。尚、図３に示す「実線の矢印」は照明光の方向を模式的に表したものである。
【００２３】
反射分光板１４による照明光の反射の方向(照明光の照射方向)を踏板２の進行方向に向けて傾けて光源から遠方に照射されるように角度を付けているのは、一対の欄干４の相向き合う両壁面に設置された反射部材１６の表面を照明光が繰り返して反射し、光源から遠方に進行していくようにするためである。これによって各照明光照射口１３から照射された照明光と、この照明光照射口１３より以前において照射された照明光の反射光が合成されて照明光の照度が向上するようになる。
【００２４】
上述したように踏板２の両側には一対の欄干４が設けられ、この欄干４内に上述した導光路１１Ｂ及び照明光照射口１３が踏板２を境にして対称に配置され、両方の照明光照射口１３から照射される照明光は同じように踏板２を照明している。したがって、これらの作用によって、影になり易い踏板２の両端面が効率よく照射されるようになる。
【００２５】
導光路１１Ｂに設けられている照明光照射口１３の付近の導光路１１Ｂ内には反射分光板１４が設けられている。この反射分光板１４は図４にあるように、導光路１１Ｂの中央部付近で軸支された矩形の平板状に形成され、導光路１１Ｂの軸線に対して傾けて取り付けられている。図４において、欄干４は外側壁面４Ａと内側壁面４Ｂを備えており、この内側壁面４Ｂに照明光照射口１３が形成されている。照明光照射口１３がある内側壁面４Ｂには開口部１５が形成されており、この開口部１５は照明光照射口１３から出た照明光を踏板２側に照射するための開口である。尚、内側壁面４Ｂには反射部材１６が設けられている。
【００２６】
そして、反射分光板１４に衝突した照明光は反射分光板１４によって照明光照射口１３の方向に方向転換される。反射分光板１４の反射機能は上述したように、照明光を踏板２の進行方向に向けて傾け、しかも斜め上方から踏板２に向けて照射されるようにすることである。
【００２７】
反射分光板１４は図４にあるように導光路１１Ｂを通る照明光をすべて反射するものではなく、反射分光板１４の導光路１１Ｂの軸方向投影面積(反射面積)は本実施形態では導光路１１Ｂの通路断面積の２０％〜３０％程度となっている。つまり、反射分光板１４の角度によって投影面積が変わり、その結果反射面積が導光路１１Ｂの通路断面積の２０％〜３０％の範囲で変化するものである。したがって、残りの７０％〜８０％は後段の反射分光板１４によって再び分光反射されるものである。これを複数段に亘って繰り返すものである。
【００２８】
反射分光板１４は照明光を反射するようにアルミ箔が貼付されていたり、アルミコーティングが施されている。また、この他に反射分光板１４自体を照明光を反射する反射機能を有する材料で形成しても良い。更に特許文献１にあるような半透鏡を使用するようにしても差し支えない。本実施例では半透鏡を使用しており、照明光が透過して次段の半透鏡に照明光が届くようにしている。半透鏡を使用しない場合は手前側から後側に向かって反射分光板１４の位置を導光路１１Ｂの軸線に直交する方向にずらして照明光が均等に当るようにするのが望ましい。
【００２９】
図３に戻って、踏板２の両側に立設する欄干４の相対する図４に示している内側壁面４Ｂには反射部材１６が形成されており、照明光照射口１３から照射された照明光を反射する機能を備えている。この反射部材１６の設置位置は、少なくとも反射すべき照明光を照射する照明光照射口１３からの照明光が当る位置であれば良い。本実施形態では欄干４の内側壁面４Ｂに所定の高さを有する連続した板状の反射部材１６を張り付けている。これによれば、複数の照明光照射口１３からの照明光を全体的に反射することができので、その設置位置の寸法や設置位置の高さを正確に管理する必要がない。
【００３０】
尚、照明光が斜め上方から照射されるので反射方向を考慮して反射部材１６の高さ方向の長さを比較的長くとると良い。ただ、これも反射回数によって適切に決められれば良いものである。本実施形態では反射部材１６としてアルミニウム製の細長い反射部材１６を設置している。また、アルミニウム製の細長い反射部材１６だけでなく、欄干４の外側表面にアルミ箔を貼付したり、アルミコーティングを施したり、欄干４自身をアルミニウムで構成するようにしても良い。要は、照明光照射口１３からの照明光を欄干４の間で踏板２の進行方向側に反射を繰り返して行けば良いものである。
【００３１】
このように、照明光照射口１３から照射される照明光は踏板２の進行方向に向けて傾いて照射されるため、所定の角度を有して反射部材１６で反射された照明光は相対する反射部材１６で再び所定の角度で反射され、これを繰り返しながら減衰していくようになる。この時、この反射した照明光は、この照明光を照射した照明光照射口１３より先の照明光照射口１３から照射された踏板２に向けた照明光と合成されて照明光の照度を嵩上げするように働くものである。尚、この説明は１個の照明光照射口１３から照射された照明光についてであり、本実施形態では両側の欄干４に設けた導光路１１Ｂの複数の照明光照射口１３から照明光が照射されるので、これらが重畳された状態で踏板２は万遍なく照明されるようになる。
【００３２】
尚、上述した実施形態においては、照明光の一部が反射部材１６で反射されるように照明光照射口１３からの照射方向を決めているが、照明光の反射割合はエスカレーターの仕様、設置場所等によって適切に決められるものであり、最大で全ての照明光を反射するようにしても良いものである。この場合、踏板２は照明光の拡散光で照明されるようになる。また、この他に一方の導光路１１Ｂからは全ての照明光を反射するようにし、もう他方の導光路１１Ｂからは一部の照明光を反射して残りの照明光で踏板２を照明するようにしても良いものである。
【００３３】
以上のような構成において、次に反射光を含む照明光の挙動を図５及び図６に基づいて説明するが、以下の説明においては一方の欄干４に設けた導光路１１Ｂについて説明し、他方の欄干４に設けた導光路１１Ｂついては同じ挙動を行なうため省略する。
【００３４】
図５及び図６において、照明用光源１２から発光された照明光は導光路１１Ｂの内部を通り最初の反射分光板１４でその一部が反射されて分光される。ここで、図５において、「実線の矢印」は照明光の方向を模式的に表し、「破線の矢印」は最初に分光した照明光が反射部材１６で反射されて進行していく様子を模式的に表したものである。
【００３５】
先にも説明したが、照明光照射口１３から照射される照明光は斜め上方から踏板２に向けて照射するが、その内の一部は反射部材１６に向けて照射される。この照明光照射口１３から照射される照明光は踏板２の進行方向に向けて傾けて踏板２に向けて照明されている。そして、この反射部材１６に向けて照射された照明光は所定の入射角度をもって反射部材１６に照射されるため、反射部材１６ではこの入射角度とほぼ同じ角度で反対側の欄干４に設けた反射部材１６に向けて反射される。この反射の繰り返しを行ないながら照明光は減衰していくようになる。この時、この反射した照明光は、この照明光を照射した照明光照射口１２より先の照明光照射口１２から照射された踏板２に向けた照明光と加え合わされて照明光の照度を嵩上げするように働くものである。これによって照明用光源から離れた位置にある踏板２においても充分な照明を確保できるようになる。尚、照明光の挙動は１個の照明光照射口１２から照射された照明光についてであり、本実施形態では図６にあるように欄干４に設けた導光路１１Ｂの複数の照明光照射口１３から照明光が照射されるので、これらが重畳された状態で踏板２は万遍なく照明されるようになる。
【００３６】
また、図５には示していないが、図６にあるように水平部８の付近にある導光路１１Ｂの水平導光部の照明光照射口１３の照明光の照射方向は斜行部９にある斜行導光部とは異なった方向とされても良い。つまり、斜行導光部は上述したように、照明光は斜め上方から踏板２に向けて照射され、その内の一部の照明光は踏板２の進行方向に向けて傾けて踏板２に向けて照明されている。
【００３７】
これに対して、水平導光部は反射部材１６に対してほぼ直交するように照明光が照射されている。このため、反射部材１６に照射された照明光は水平部８付近の踏板２に反射されるので、水平部８の踏板２を明るく照明することができる。
【００３８】
このような照明方法を採用すると、次のような新たな作用、効果を奏することができる。図１にもあるように踏板２の水平部８はエスカレーター１への乗込口及び降り口がある。この乗込口及び降り口は建屋との境界となっているため、特に安全性を重視する必要がある。そのため水平部８の開口部１５から照射される照明光はより明るくすることが重要であり、このためにも水平部８の照明の照度を向上させることで安全性を高くすることができる。
【００３９】
また図３にあるように、一対の欄干４の夫々に設けた導光路１１Ｂの照明光照射口１３は夫々対称位置に設けてあるが、一方の導光路１１Ｂの照明光照射口１３の位置をずらす、例えば照明光照射口１３の配置間隔の半分のピッチだけずらして配置することも可能である。
【００４０】
更に、本実施形態では照明光照射口１３から照射される照明光は踏板２と反射部材１６の両方に照射されているが、照明光照射口１３を分割して個別に踏板２と反射部材１６に向けて照射されるようにしても良い。
【００４１】
更に、本実施形態では両方の欄干４に導光路１１Ｂを設けているが、少なくとも片方にだけ設けても反射光の効果を期待できるものである。
【実施例２】
【００４２】
次に本発明の第２の実施形態について説明する。本実施形態は照明光照射口１３から照射される照明光の照射角度を調整するようにしたものである。図４にあるように反射分光板１４は導光路１１Ｂの内部に収納されており、照明光の進行方向に対向するように配置されている。尚、この反射分光板１４は表面をアルミコーティングした平板状に形成されている。
【００４３】
したがって、導光路１１Ａの軸線に対してこの反射分光板１４の角度を小さくすると、反射される照明光はより遠くの反射部材１６に向けて照射されるようになり、導光路１１Ａの軸線に対してこの反射分光板１４の角度を大きくすると、反射される照明光はより近くの反射部材１６に向けて照射されるようになる。本実施例の場合、反射分光板１４自身が透過性を有していないので、手前側から後側に向かって反射分光板１４の位置を導光路１１Ｂの軸線に直交する方向にずらして照明光が均等に当るようにするのが望ましい。つまり、最も手前側の反射分光板１４を踏板２側に寄せ、最も後側の反射分光板１４を踏板２側から離し、この間で順次ずらしながら反射分光板１４を配置することで効率よく照明光を反射分光板１４に当てることができる。
【００４４】
図７にあるように欄干４の一部には細長い透孔１７が形成されており、この透孔１８には調整ボタン１８が設けられている。調整ボタン１９は透孔１７を摺動することができ、この調整ボタン１８の摺動による移動量によって反射分光板１４の角度が調整されるようになっている。例えば、調整ボタン１８の先端に直線状の歯が形成されたラックを固定し、反射分光板１４の回転軸１９に円形の歯が形成されたピニオンを固定して、いわゆる、ラック・アンド・ピニオン機構を構成するようにすれば良い。そして、調整ボタン１８を摺動させるとラックが移動し、このラックの移動量に対応してピニオンが回転して反射分光板１４の角度を変えることができるものである。尚、調整ボタン１８等は乗客に見えないように内部に隠して収納するのが望ましい。
【００４５】
このようにして、導光路１１Ｂの軸線に対してこの反射分光板１４の角度を小さくすると、図８にあるように反射される照明光はより遠くの反射部材１６に向けて照射されるようになる。照明光照射口１３から照射される照明光の角度をより遠くの反射部材１６に当たるように照射するのは以下のような場合である。例えば、建築構造物内の天井照明がある程度強く、エスカレーター１の踏板上の照明を少し落としても問題にならないような場合や、あるいはエスカレーター１の斜行部９が長く、照明用光源を強くできるような場合である。
【００４６】
一方、光路１１Ｂの軸線に対してこの反射分光板１４の角度を大きくすると、図８にあるように反射される照明光はより近くの反射部材１６に向けて照射されるようになる。照明光照射口１３から照射される照明光の角度をより近く反射部材１６に当たるように照射するのは以下のような場合である。例えば、建築構造物内の天井照明がある程度弱く、エスカレーター装置の踏板上の照明を強くするする必要がある場合である。いずれにしても、本実施形態によれば反射分光板１４の角度を調整することによって、照明光照射口１３から照射される照明光の角度を調整することができるので、必要とされる照明形態に合わせて適切な照明光の角度を決めてやれば良いものである。
【実施例３】
【００４７】
次に本発明の第３の実施形態について説明する。本実施形態は導光路１１Ｂに複数の照明用光源１２を設けたものである。図１０にあるように導光路１１Ｂの内部には所定の間隔をおいて照明用光源１２が配置されるようになっている。
【００４８】
図１０において、導光路１１Ｂの始端側には始端側照明用光源１２Ａが設けられ、所定の距離を置いて導光路１１Ｂの中間には中間照明用光源１２Ｂが設けられている。この中間照明用光源１２Ｂは必要に応じてその数が決められるものである。
【００４９】
したがって、始端側照明用光源１２Ａの照明光の挙動は上述した通りであるが、中間照明用光源１２Ｂもエスカレーター１の斜行部９の所定地点から照明光を照射するので、照明光の減衰を補償することが可能となる。このような中間照明光源１２Ｂを用いるのは、斜行部９が長い大深度地下エスカレーター等の場合に有利であり、このシステムでは天井照明が踏板２まで充分届かない恐れがあるので、本実施形態のような中間照明用光源を多用して踏板２を照明するのが望ましい。もちろん、各照明用光源から照明光照射口１３を介して照射された照明光は欄干４に設けた反射部材１６で反射されるので充分な照明を確保できるものである。
【実施例４】
【００５０】
次に本発明の第４の実施形態について説明する。本実施形態はエスカレーター１の水平部８と斜行部９の間に照明用光源１２を設けたものである。
【００５１】
エスカレーター１には図１に示してあるように乗込口及び降口が存在する水平部８と斜めに進行する斜行部９とが設けられている。そして、上述した実施形態では水平部８に照明用光源１２を配置する構成としていた。しかしながら、導光路１１Ｂの照明光の進行を考えると、水平部８から斜行部９へ方向が変わるので照明光もその進行方向の向きを変える必要がある。このため進行方向を変更するための付加的な部品が必要となる。
【００５２】
また、水平部８と斜行部９の接続点で照明光を曲げるために反射部材によって反射させる構成とすると、導光部１１Ｂの水平部８に対応する部分から導光部１１Ｂの斜行部９に対応する部分に照明光を曲げることは照明光の光量を減衰してしまう恐れがある。つまり、良好に照明光を曲げてやらないと導光路１１Ｂの壁面で照明光が反射を繰り返し、斜行部９に対応する部分に上手く照明光を流すことができなくなるためである。このため、導光路１１Ｂの水平部８と斜行部９の接続部の構造を複雑にする必要が出てくる。
【００５３】
このような課題の対応策として、本実施形態では図１１及び図１２にあるように水平部８と斜行部９の折り曲げ部分の近傍に照明用光源２１を設置する構成としたものである。図１１及び図１２において、導光路１１Ｂの水平部１１Ｂ-Ａと斜行部１１Ｂ-Ｂの接続部分、つまり折り曲げ部分２０に照明用光源２１を設けるものである。この照明用光源２１は導光路１１Ｂの水平導光部１１Ｂ-Ａと斜行導光部１１Ｂ-Ｂの２方向に照明光を照射する機能を有している。
【００５４】
この場合、照明光を２方向に照射する方法としては、一個の光源で水平部導光１１Ｂ-Ａと斜行導光部１１Ｂ-Ｂに照明光を供給するようにすることもできる。この構成によると光源数を少なくでき、光源の設置空間等を小さくできる効果がある。一方、導光路１１Ｂの水平導光部１１Ｂ-Ａ用の光源と導光路１１Ｂの斜行導光部１１Ｂ-Ｂ用の光源の２つを設置する方法を採用しても差し支えないものである。この構成によれば水平導光部１１Ｂ-Ａと斜行導光部１１Ｂ-Ｂの夫々に最適な位置の光源を配置できる効果がある。要は、導光路１１Ｂの水平導光部１１Ｂ-Ａと斜行導光部１１Ｂ-Ｂに照明光を曲げないで供給できれば良いものである。
【００５５】
このように、導光路１１Ｂの水平導光部１１Ｂ-Ａ用の光源と導光路１１Ｂの斜行導光部１１Ｂ-Ｂの折り曲げ部分２０付近に照明用光源２１を配置したので、上述した実施形態のように照明光の方向転換を行なう必要は無くなり、この結果、上述した課題も生じなくなるものである。尚、この照明用光源２１の配置位置は少なくとも導光路１１Ｂの水平導光部１１Ｂ-Ａと斜行導光部１１Ｂ-Ｂの接続点から双方に５００ｍｍ程度の位置の間に設けられることが望ましい。これを越えると照明用光源２１が水平導光部１１Ｂ-Ａと斜行導光部１１Ｂ-Ｂの双方に良好に供給されなくなる恐れが出てくるからである。
【００５６】
ここで、図１１に示すように斜行部１１Ｂ-Ｂの照明光及び反射光の挙動は基本的には第１の実施形態と同様のものであるが、水平導光部１１Ｂ-Ａへの照明方法は斜行導光部１１Ｂ-Ｂへの照明方法とは異なっている。
【００５７】
つまり、図１にもあるように踏板２の水平部８はエスカレーター装置への乗込口及び降り口がある。この乗込口及び降り口は建屋との境界となっているため、特に安全性を重視する必要がある。そのため水平導光部１１Ｂ-Ａの開口部１５から照射される照明光は踏板２の設置方向に直交するように方向を決められている。このように水平導光部１１Ｂ-Ａの照度を向上させることで安全性を高くすることができる。
【００５８】
また、本実施形態では水平導光部１１Ｂ-Ａと斜行導光部１１Ｂ-Ｂとを個別に照明できる構成とできるので、夫々に適した光源、例えば水平導光部１１Ｂ-Ａには照明強度が大きい(小さい)光源、斜行導光部１１Ｂ-Ｂには照明強度が小さい(大きい)光源を使用したり、更にはその照明光の色合いを変えた光源を使用することも可能である。
【００５９】
以上述べた通り、本発明によれば、乗客コンベアの踏板の両側に反射部材を立設し、導光路から踏板に照射される照明光の一部、或いは全部を踏板の設置方向に向けて角度を付けて照射し、この照射された照明光を踏板の両側に立設した反射部材で踏板の設置方向に向けて繰り返し反射するようにした。これによって、導光路から踏板に照射される照明光に加えて、反射部材によって反射された反射光がこれに合成されることになり、光源より離れた踏板であっても充分な照明を確保することが可能となるものである。
【符号の説明】
【００６０】
１…エスカレーター装置、２…踏板、３…ハンドレール、４…欄干、５…パネル、６…上階乗降床、７…下階乗降床、８…水平部、９…斜行部、１０…制御部、１１Ａ…上側導光路、１１Ｂ…下側導光路、１２…照明用光源、１３…照明光照射口、１４…反射分光板、１５…開口部、１６…反射部材、１７…透孔、１８…調整ボタン、１９…回転軸、２０…折り曲げ部分、２１…照明用光源。
【図１】
2014069909.tif 000003
【図２】
2014069909.tif 000004
【図３】
2014069909.tif 000005
【図４】
2014069909.tif 000006
【図５】
2014069909.tif 000007
【図６】
2014069909.tif 000008
【図７】
2014069909.tif 000009
【図８】
2014069909.tif 000010
【図９】
2014069909.tif 000011
【図１０】
2014069909.tif 000012
【図１１】
2014069909.tif 000013
【図１２】
2014069909.tif 000014